(57)【要約】      （修正有）【課題】建物の門等から道路への歩行者の急な飛び出しにより発生する交通事故を防止する飛び出し防止シートを提供する。【解決手段】矩形シート１０ａを、歩行者が一時停止すべき位置を指定する停止位置表示部１１と、歩行者に一時停止すべきことを命令する停止命令表示部１２とにより構成する。停止命令表示部は写真、絵柄、文字、記号の少なくとも１つからなる。矩形シートを乾燥した路面の任意の位置に貼着する。【選択図】図１
0003201662.tif 000002
【実用新案登録請求の範囲】
【請求項１】
歩行者を一時的に停止すべき位置を指定する停止位置表示部と、
歩行者を一時的に停止すべきことを命令する停止命令表示部とを、その表面に有する矩形シートであって、
前記停止命令表示部は写真、絵柄、文字、記号の少なくとも１つからなり、
乾燥した路面の任意の位置に前記矩形シートを貼着することを可能とするものである飛び出し防止シート。
【考案の詳細な説明】
【技術分野】
【０００１】
この考案は飛び出し防止シート、詳しくは、建物の門等からの歩行者の急な飛び出しにより発生する交通事故を防止する技術に関する。
【背景技術】
【０００２】
車両が住宅街を走行中に、道路に面した建物の門等から幼児、子供等が急に飛び出してきて事故となることがある。こうした飛び出し時や視界が悪い時における歩行者と車両との衝突事故を防止する従来技術としては、歩行者に発信機を携帯させてその発信電波を車両に搭載した受信機で捉えて運転者に注意を促す警報装置が知られている。しかし、この警報装置では、歩行者が安全な場所にいる場合にも警告がなされ、また事故を起こす恐れのない場所にいる車両にも警告がなされるため運転者は警告を煩わしく感じることがある。
【０００３】
また、歩行者と車両との衝突を扱ったものではないが歩行者の急な飛び出しによる事故防止にも応用可能な技術として、信号機もなく見通しも悪い交差点での車両同士の出合い頭の衝突を防止する技術が特許文献１に開示されている。これは互いに交差する一方の道路側に交差点への車両の進入を感知する感知手段を設置し、他方の道路側には警告手段を設置し、感知手段で警告手段を制御することにより他方の道路側の車両に一方の道路側から侵入する車両の有無を知らせるものである。しかし、この技術の場合、警告は一方通行であり他方の道路側の車両は一方の道路側から交差点に進入する車両の存在を知ることができない。
【先行技術文献】
【特許文献】
【０００４】
【特許文献１】特開平０５−０２８４００号公報
【考案の概要】
【考案が解決しようとする課題】
【０００５】
本考案はこのような従来技術の問題点を解決するためになされたもので、路面に直接警告表示をすることで、道路に面した建物の門等から道路へ急に飛び出してきそうな子供等に対し効果的に警告を促し、もって急な飛び出しによる交通事故を防止することができることを知見し、この考案を完成させた。
【０００６】
この考案は、建物の門等から道路への歩行者の急な飛び出しにより発生する交通事故を防止する飛び出し防止シートを提供することを目的とする。
【課題を解決するための手段】
【０００７】
請求項１に記載の考案は、歩行者を一時的に停止すべき位置を指定する停止位置表示部と、歩行者を一時的に停止すべきことを命令する停止命令表示部とを、その表面に有する矩形シートであって、前記停止命令表示部は写真、絵柄、文字、記号の少なくとも１つからなり、乾燥した路面の任意の位置に前記矩形シートを貼着することを可能とするものである飛び出し防止シートである。
【０００８】
飛び出しシートは、停止位置表示部と停止命令表示部とから構成される矩形シートからなる矩形シートは、空気・光・水に対する耐久性が高い（耐水性、耐候性の高い）材質のものによって構成される。乾燥した路面に矩形シートを強固に貼着する方法は特に問わない。接着剤による方法、ピン等により固定する方法等がある。また、矩形シートと路面との間にゴムシート等の介在物が存在していもよい。
【０００９】
停止位置表示部は、歩行者を一時的に停止すべき位置を指定するものである。停止位置表示部は、例えば停止線や歩行者を留まるための領域を示すもの等である。また、停止位置表示部は、矩形シートに印刷等しているものや、矩形シートの一部を切り抜いたものであってもよい。
停止命令表示部は、歩行者を一時的に停止すべきことを命令するもの、すなわち、歩行者を一時的に停止位置表示部に停止することを表示するものである。停止命令表示部は、矩形シートにおける停止位置表示部以外の部分に印刷等しているものや、矩形シートの一部を突出させ、停止位置表示部に停止するよう表示する部材であってもよい。
停止命令表示部は、写真、絵柄、文字、記号の少なくとも１つによって、歩行者を一時的に停止位置表示部に停止すべき旨を表示する。なお、停止命令表示部にキャラクターの絵を表示させ、平仮名およびまたは片仮名によって歩行者を一時的に停止位置表示部に停止すべき旨を表示する構成であれば、幼児から小学校までの児童・生徒に注目されやすく、飛び出し防止に効果的である。
また、夜間における飛び出し防止シートの視認性を高めるために、停止位置表示部や停止命令表示部をＬＥＤおよびまたは蛍光塗料を用いることもできる。
【００１０】
飛び出し防止シートは、交通量の多い道路の横断歩道、信号機のない交差点、Ｔ字路、建物の門が存在する路面等、歩行者の飛び出しが容易に想定できる箇所の歩道に貼着することが、飛び出し防止に効果的である。また、横断歩道など、歩行者の道路の横断が頻繁に行われる場所にあっては、道路の両側にそれぞれ貼着することがより好ましい。
【考案の効果】
【００１１】
請求項１に記載の考案によれば、歩行者を一時的に停止すべき位置を指定する停止位置表示部と、歩行者を一時的に停止すべきことを命令する停止命令表示部とから構成された矩形シートを乾燥した路面に貼着することで、道路に面した建物の門等から急に飛び出してきそうな子供等に対し効果的に警告を促し、もって急な飛び出しによる交通事故を防止することができる。
【図面の簡単な説明】
【００１２】
【図１】（ａ）本考案の実施例に係る飛び出し防止シートを示す平面図である。（ｂ）本考案の実施例に係る飛び出し防止シートを示す断面図である。
【図２】本考案の実施例に係る飛び出し防止シートの使用例を示す平面図である。
【考案を実施するための形態】
【００１３】
以下、この考案の実施例を具体的に説明する。
図１に示すように、この実施例に係る飛び出し防止シート１０は、矩形のゴムシート１０ｃの表面外縁に蓄光テープ１０ｂを貼着し、ゴムシート１０ｃの表面露出部分形状と平面形状が同一の矩形シート１０ａが接着剤を介して接着されたものである。すなわち、ゴムシート１０ｃの表面に矩形シート１０ａと蓄光テープ１０ｂとが接着している。そして、この矩形シート１０ａの外周に蓄光テープ１０が、矩形シート１０ａを取り囲むように設けられている。このゴムシート１０ｃの裏面には、乾燥した路面に直接貼着することができるように接着剤が塗布されている。
【００１４】
矩形シート１０ａは、空気・光・水に対する耐久性が高い材質のポリエステル製フィルムの表面に滑り止め塗料の塗膜が形成されている。滑り止め塗料は、ウレタンビーズを配合した無色透明の液剤である。この滑り止め塗料をポリエステル製フィルムに塗布した後に乾燥させたものが矩形シート１０ａである。矩形シート１０ａの大きさは、長さ１，０００ｍｍ、幅４４０ｍｍであるが、飛び出し防止シート１０の設置場所によりその大きさを適宜変更することは可能である。
【００１５】
矩形シート１０ａの裏面には後述するゴムシート１０ｃの表面に接着させるために接着剤が塗布されている。この接着剤は、ゴムシート１０ｃから矩形シート１０ａが剥離せずに接着することが可能なものである。
【００１６】
停止位置表示部１１は、矩形シート１０ａの長さ方向の中心から長さ方向に対して２５０ｍｍ離間したところに中心を持つ、直径２５０ｍｍの円が２つ、その矩形シート１０ａに記され、その２つの円の内部にそれぞれ一対の足跡が記されている。また、２つの円の内部には、「とまれ」の表記がされている。
【００１７】
停止命令表示部１２は、矩形シート１０ａの停止位置表示部１１以外の部分である。矩形シート１０ａの幅方向の上部には「とまって！右みて左みて！」と記載されている。そして、矩形シート１０ａの中央にはキャラクターの絵１２ａが記載されている。
【００１８】
停止位置表示部１１および停止命令表示部１２は油性塗料により印刷されたものであって、水および外部からの摩擦によって消えることがないように構成されている。すなわち、矩形シートを構成するポリエステル製フィルムの表面に油性塗料によって印刷した後に、滑り止め塗料の塗膜を形成することによって矩形シート１０ａは製造される。
【００１９】
蓄光テープ１０ｂは、矩形シート１０ａを取り囲むように、矩形シート１０ａの外周に設けられている。蓄光テープ１０ｂは、幅１０ｍｍで燐光を発する材料で形成されている。蓄光テープ１０ｂの接着面は、ゴムシート１０ｃの表面に接している。すなわち、蓄光テープ１０ｂは接着面に存在する接着剤によりゴムシート１０ｃに接着している。
【００２０】
ゴムシート１０ｃは、硬質ゴムにより、長さ１，０２０ｍｍ、幅４６０ｍｍの矩形板形状のものである。ゴムシート１０ｃの表面に、ゴムシート１０ｃの外縁に沿って蓄光テープ１０ｂが貼着され、ゴムシート１０ｃの表面露出部分に矩形シート１０ａが貼着されている。ゴムシート１０ｃの裏面には、路面に直接接着することができる接着剤が塗布されている。
【００２１】
図２には、この実施例に係る飛び出し防止シート１０を横断歩道１００Ｂを有する道路１００の歩道１００Ｃに使用する使用例を説明する。
車道１００Ａには、停止線と横断歩道１００Ｂが設けられている。そして、この車道１００Ａの両側に歩道１００Ｃが設けられている。横断歩道１００Ｂの両端であって、歩道１００Ｃの路面に飛び出し防止シート１０を１つずつ貼着する。
まず、歩道１００Ｃの飛び出し防止シート１０の貼着する部分（路面）をほうき等を用いて土砂を取り除く。そのとき、路面が濡れているときはあらかじめ乾燥させておく。その後、飛び出し防止シート１０のゴムシート１０ｃ裏面、すなわち、接着剤塗布面を路面に直接貼り合わせる。その後、接着剤を硬化させ、飛び出し防止シート１０を路面に貼着する。
【００２２】
横断歩道１００Ｂを用いて車道１００Ａを横断しようとする児童らは、飛び出し防止シート１０に記されたキャラクターの絵に注目するとともに、平仮名によって、その場所では停止しなければならないことを児童らが認識する。そして、車両が止まっている又は車両が近くに存在しないことを確認し、横断歩道１００Ｂを用いて車道１００Ａを横断する。これにより、児童らの飛び出しを防止することができる。
【産業上の利用可能性】
【００２３】
この考案は、建物の門等からの歩行者の急な飛び出しにより発生する交通事故を防止する技術に有用である。
【符号の説明】
【００２４】
１０  飛び出し防止シート、
１１  停止位置表示部、
１２  停止命令表示部、
１００  道路。
【図１】
0003201662.tif 000003
【図２】
0003201662.tif 000004
【手続補正書】
【提出日】平成27年10月14日(2015.10.14)
【手続補正１】
【補正対象書類名】実用新案登録請求の範囲
【補正対象項目名】全文
【補正方法】変更
【補正の内容】
【実用新案登録請求の範囲】
【請求項１】
歩行者を一時的に停止すべき位置を指定する停止位置表示部と、
歩行者を一時的に停止すべきことを命令する停止命令表示部とを、その表面に有する矩形シートであって、
前記停止命令表示部は写真、絵柄、文字、記号の少なくとも１つからなる飛び出し防止シート。
【手続補正２】
【補正対象書類名】明細書
【補正対象項目名】０００７
【補正方法】変更
【補正の内容】
【０００７】
請求項１に記載の考案は、歩行者を一時的に停止すべき位置を指定する停止位置表示部と、歩行者を一時的に停止すべきことを命令する停止命令表示部とを、その表面に有する矩形シートであって、前記停止命令表示部は写真、絵柄、文字、記号の少なくとも１つからなる防止シートである。
【手続補正３】
【補正対象書類名】明細書
【補正対象項目名】０００８
【補正方法】変更
【補正の内容】
【０００８】
飛び出しシートは、停止位置表示部と停止命令表示部とから構成される矩形シートからなる。矩形シートは、空気・光・水に対する耐久性が高い（耐水性、耐候性の高い）材質のものによって構成される。乾燥した路面に矩形シートを強固に貼着する方法は特に問わない。接着剤による方法、ピン等により固定する方法等がある。また、矩形シートと路面との間にゴムシート等の介在物が存在してもよい。